(57)【要約】モータ制御装置において、モータ１と、モータ１に近接し又はモータ１の近傍に配置された変速機５と、変速機５の潤滑油の温度を検出する油温センサ５と、冷媒によりモータを冷却する冷却手段と、冷媒の温度を検出する冷媒センサと、モータ１のトルクを制御する制御手段とを備える。そして、当該制御手段は、油温センサ５により検出された潤滑油温度、又は、冷媒センサにより検出された冷媒温度のいずれか一方の温度を検出温度として選択し、検出温度に基づいてトルクに制限をかける。
2016013063.tif 000002
【特許請求の範囲】
【請求項１】
モータと、
前記モータに近接し又は前記モータの近傍に配置された変速機と、
前記変速機の潤滑油の温度を検出する油温センサと、
冷媒により前記モータを冷却する冷却手段と、
前記冷媒の温度を検出する冷媒センサと、
前記モータのトルクを制御する制御手段とを備え、
前記制御手段は、
前記油温センサにより検出された潤滑油温度、又は、前記冷媒センサにより検出された冷媒温度のいずれか一方の温度を検出温度として選択し、
前記検出温度に基づいて前記トルクに制限をかける
ことを特徴とするモータ制御装置。
【請求項２】
請求項１記載のモータ制御装置において、
前記制御手段は、
前記冷媒の実際の温度が前記冷媒温度よりも高い状態であると判定した場合には、前記潤滑油温度を前記検出手段として選択する
ことを特徴とするモータ制御装置。
【請求項３】
請求項１又は２に記載のモータ制御装置において、
前記制御手段は、
前記冷却手段を駆動した時点からの経過時間が所定時間より短い場合には、前記潤滑油温度を前記検出温度として選択する
ことを特徴とするモータ制御装置。
【請求項４】
請求項３に記載のモータ制御装置において、
前記制御手段は、
前記冷却手段を駆動した時点からの経過時間が前記所定時間より長い場合には、前記冷媒温度を前記検出温度として選択する
ことを特徴とするモータ制御装置。
【請求項５】
請求項１〜４のいずれか一項に記載のモータ制御装置において、
前記制御手段は、
前記冷媒温度に基づいて前記トルクに制限をかける場合には、前記冷媒温度に所定の緩変化処理を施すことなくトルク制限を行い、
前記トルク制限を解除する場合には、前記冷媒温度に前記緩変化処理を施し、かつ、前記緩変化処理を施した後の前記冷媒温度に基づいて前記トルク制限を行った後に、前記トルク制限を解除する
ことを特徴とするモータ制御装置。
【請求項６】
モータのトルクを制御する制御方法において、
前記モータに近接し又は前記モータの近傍に配置された変速機の潤滑油を、油温センサにより検出し、
冷媒により前記モータを冷却し、
前記冷媒の温度を冷媒センサにより検出し、
前記油温センサにより検出された潤滑油温度、又は、前記冷媒センサにより検出された冷媒温度のいずれか一方の温度を検出温度として選択し、
前記検出温度に基づいて前記トルクに制限をかける
ことを特徴とするモータ制御方法。
【発明の詳細な説明】
【技術分野】
【０００１】
本発明は、モータ制御装置及びモータ制御方法に関するものである。
【背景技術】
【０００２】
駆動軸に動力を出力可能なモータを備える車両において、以下のような動力出力装置の制御方法が開示されている。変速機を潤滑や冷却する潤滑冷却オイルのオイル温度Ｔｏｉｌを、オイルパンに取り付けられた温度センサにより検出し、実行用オイル温度Ｔｏｉｌ＊を設定する。設定した実行用オイル温度Ｔｏｉｌ＊とモータのコイル温度Ｔｃｏｉｌ２とに基づいてモータＭＧ２の負荷率Ｒ２を設定する。コイル温度Ｔｃｏｉｌ２が所定温度を超えると実行用オイル温度Ｔｏｉｌ＊が高くなるほど、負荷率Ｒ２は大きく減少するように設定される。設定した負荷率Ｒ２を用いてモータトルク指令Ｔｍ２＊を設定し、トルク指令Ｔｍ２＊のトルクが出力されるようモータを駆動制御する。これにより、実行用オイル温度Ｔｏｉｌが高くなるほどモータの駆動を大きく制限する（特許文献１）。
【先行技術文献】
【特許文献】
【０００３】
【特許文献１】特開２００８−９９４２４号公報
【発明の概要】
【発明が解決しようとする課題】
【０００４】
ところで、変速機の潤滑油とモータが熱交換できる状態で配置された駆動システムにおいて、潤滑油の温度が上昇すると、モータの冷却水の温度も上昇する。また、当該冷却水がインバータを循環している場合には、インバータを構成する素子温度も上昇する。そして、このような駆動システムにおいて、モータ温度又はインバータ素子の温度が高温になることを防ぐためには、モータ温度又はインバータの素子温度に応じて、モータのトルクを制限すればよい。【０００５】
特許文献１に開示された制御方法を、上記の駆動システムに適用する場合には、実行用オイル温度Ｔｏｉｌを冷却水に置き換えて、冷却水用のセンサで検出し、検出された冷却水の温度が高くなるほどモータの駆動を大きく制限することが考えられる。【０００６】
しかしながら、冷却水用のセンサの応答性が悪いため、例えば冷却水が短時間で上昇した場合には、適切にトルクを制限できないという問題があった。【０００７】
本発明が解決しようとする課題は、適切なトルク制限を実行できるモータ制御装置及びモータ制御方法を提供することである。
【課題を解決するための手段】
【０００８】
本発明は、油温センサにより検出された潤滑油温度、又は、冷媒センサにより検出された冷媒温度のいずれか一方の温度を検出温度として選択し、当該検出温度に基づいてトルクに制限をかけることによって上記課題を解決する。
【発明の効果】
【０００９】
本発明は、トルクに制限をかけるときに使用される温度として、冷媒温度だけでなく、潤滑油の温度も選択可能にしている。そのため、冷媒センサの検出値では適切なトルク制限をかけられない状態であっても、トルク制限をかける際に油温センサの検出値を用いることができる。その結果として、適切なトルク制限を実行できる。
【図面の簡単な説明】
【００１０】
【図１】図１は本実施形態に係る車両駆動システムのブロック図である。
【図２】図２は車両駆動システムの制御フローを示すフローチャートである。
【図３】図３は油温に対する冷却水のピーク温度の特性を示すグラフである。
【図４】図４は冷却水温に対するトルク制限値の特性を示すグラフである。
【図５】図５は駆動時間に対する、冷却水の実際の温度推移及び水温センサの検出値の推移を示すグラフである。
【発明を実施するための形態】
【００１１】
以下、本発明の実施形態を図面に基づいて説明する。
【００１２】
図１は、本発明の実施形態に係る車両の駆動システムのブロック図である。本実施形態に係るモータ制御装置は、車両の駆動システムに適用される。車両は、電気自動車又はハイブリッド車両等、モータを備えた車両である。
【００１３】
図１に示すように、車両の駆動システムは、モータ１、インバータ２、パワー素子３、変速機４、油温センサ５、ラジエタ６、冷却水ポンプ７、冷却流路８、水温センサ９、リザーバタンク１０、及びコントローラ１００を備えている。なお、駆動システムの構成は、図１に示した構成に限らず、例えば駆動輪等も含まれる。
【００１４】
モータ１は、例えば、ロータに永久磁石を埋設し、ステータにステータコイルが巻き付けられた同期型モータジェネレータである。モータ１は、電動機としても機能するし発電機としても機能する。インバータ２から三相交流電力が供給されている場合には、モータ１は回転駆動する（力行）。一方、外力によってロータが回転している場合には、モータ１は、ステータコイルの両端に起電力を生じさせることで交流電力を生成する（回生）。
【００１５】
インバータ２は、車載バッテリ（図示しない）の電力を交流電力に変換し、変換された電力をモータ１に出力するための変換回路である。インバータ２はコントローラ１００から送信されるトルク指令値に基づき、電流をモータ１に流すことで、モータトルクを発生させる。またモータ１が発電機として機能している場合には、インバータ２は、モータで発電された交流電力を直流電力に変換して、バッテリに出力する。インバータ２は、モータ１に接続されている。
【００１６】
なお、インバータ２には、トルク指令値に基づくスイッチング信号が入力され、インバータ２は、当該スイッチング信号によりスイッチング素子のオン、オフを切り替えることで、駆動する。スイッチング信号は、トルク指令値及びモータ１の回転数等に基づき生成される。スイッチング信号の生成はコントローラ１００で行われる。
【００１７】
また、インバータ２はＩＧＢＴ等のスイッチング素子をモジュール化したパワー素子３を有している。インバータ２の駆動時には、パワー素子３の損失によって、熱が発生し、パワー素子３の温度が上昇する。そのため、パワー素子３の温度を冷却するために、冷却水が循環している。
【００１８】
変速機４は、複数のプーリ間に掛け渡しベルト接触径を変化させることにより無段階の変速比を得る無段変速機構（ＣＶＴ）である。変速機４の入力軸はモータ１の回転軸に連結されており、モータ１からの回転駆動力が変速機４に入力される。変速機４の出力軸は、変速機４の出力回転駆動力を駆動輪に伝達できるように、シャフトを介して駆動輪に連結されている。
【００１９】
変速機４の機械部分を潤滑又は冷却するために、潤滑油が変速機４内に流れ込むように構成されている。変速機４には、油温センサ５が配置されている。油温センサ５は、潤滑油の温度を検出するためのセンサである。油温センサ５の検出値はコントローラ１００に出力される。
【００２０】
モータ１は変速機４に近接し又はモータ１の近傍に配置されている。少なくともモータ１と変速機４との間で熱が伝達されるように、モータ１及び変速機４は配置されている。モータ１が変速機４に近接するように配置される一例として、例えば、モータ１が変速機４に入っている場合には、変速機４内の潤滑油とモータ１との間で熱交換が行われる。またモータ１と変速機４は一体化されている場合も、モータ１と変速機４は近接して配置された状態となる。また、モータ１と変速機４との間に隙間を空けた状態で配置されたとしても、変速機４の熱がモータ１に伝わる状態であれば、モータ１は変速機４の近傍に配置された状態となる。
【００２１】
油温センサ５は潤滑油の温度を検出するためのセンサである。油温センサ５の検出値（検出温度）はコントローラ１００に出力される。
【００２２】
ラジエタ６は冷却水の熱を交換するための交換器である。冷却水ポンプ７は、機械式又は電動式のポンプであり、冷却流路８内で冷却水を循環させるための装置である。冷却流路８は、冷却水を流すための流路である。冷却流路８は、冷却水とモータ１との間で熱交換し、かつ、冷却水とパワー素子３との間で熱交換できるように、モータ１及びインバータ２に設けられている。また、冷却流路８は、モータ１、インバータ２、水温センサ９、及びリザーバタンク１０で冷却水を循環できるように、循環流路で形成されている。
【００２３】
水温センサ９は冷却水の温度を検出するためのセンサである。水温センサ９の検出値（検出温度）はコントローラ１００に出力される。リザーバタンク１０は冷却水を貯蔵するタンクである。
【００２４】
コントローラ１００は、車両の全体を制御するためのコントローラであり、モータ１、インバータ２及び冷却水ポンプ７を制御する。コントローラ１００は、各種プログラムが格納されたＲＯＭと、このＲＯＭに格納されたプログラムを実行する動作回路としてのＣＰＵ、アクセス可能な記憶装置として機能するＲＡＭ等を備えている。また、コントローラ１００は、モータ１、インバータ２及び冷却水ポンプ７を制御する際の機能ブロックとして、ポンプ制御部１０１、トルク制限値演算部１０２、要求トルク演算部１０３、及びトルク指令値演算部１０４を有している。
【００２５】
ところで、車両の走行中、変速機４は発熱する。そのため、車両が駐車されて、メインスイッチがオフ状態になった場合に、変速機４の温度が高い状態となる。モータ１と変速機４との間は熱を伝えるため、車両の駐車中、変速機４の熱はモータ１に伝わり、モータ１内の冷却水が加熱される。そして、次回の走行で、メインスイッチがオンになり、冷却水ポンプ７が駆動すると、モータ１内の加熱された冷却水がインバータ２に流れる。そのため、車両の走行開始時には、パワー素子３の温度、又は、モータ１のコイル等の温度が高い状態となる。そして、このような温度が高い状態で、要求トルクが高く、当該要求トルクを満たすようにモータ１が駆動すると、パワー素子３等の温度がさらに高くなる。
【００２６】
パワー素子３等の温度を抑制するためには、冷却水の温度に応じてモータのトルクに制限をかければよい。トルク制限の制御方法としては、トルク制限値が設定され、要求トルクがトルク制限値より高い場合には、トルク指令値はトルク制限値に制限される。これにより、要求トルクに対して制限がかかる。
【００２７】
しかしながら、水温センサ９には応答時間の遅れがある。冷却水ポンプ７が駆動を開始し、加熱された冷却水が水温センサ９に流れた時に、水温センサ９は温度上昇に追随して水温を検出できない。そして、水温センサ９で検出された温度が、実際の冷却水の温度よりも低くなる。そのため、水温センサ９の検出値に基づいてモータ１の出力トルクに制限をかけた場合には、トルク制限が不十分になるという問題がある。
【００２８】
また他のトルク制限の方法として、冷却水ポンプ７の駆動開始時から、一定期間、トルク制限値を一定にすることが考えられる。冷却水ポンプ７の駆動が開始した後に、想定される最も高い温度の冷却水がモータ１から冷却流路８内を流れたとしても、パワー素子３等の温度が許容温度を超えないようにするためには、一定のトルク制限値は予め低い値に設定する必要がある。しかしながら、実際の冷却水の温度が、想定される最も高い温度になる頻度は低い。そのため、一定期間、トルク制限が必要以上にかかってしまうという問題がある。
【００２９】
本実施形態では、上記のような問題を解消するために、以下のような制御を行っている。図２〜図４を用いて、車両駆動システムの制御について説明する。図２はコントローラ１００の制御フローを示すフローチャートである。図３は、潤滑油の温度（油温）と冷却水のピーク温度との関係を示すグラフである。図４は、冷却水の温度（冷却水温）とトルク制限値との関係を示すグラフである。
【００３０】
車両の駐車中に、車両のメインスイッチがオフからオンに切り変わると、図２に示す制御フローが始まる。ステップＳ１にて、ポンプ制御部１０１は、冷却水ポンプ７に駆動指令を送信する。冷却水ポンプ７は、駆動指令を受信して駆動し始める。冷却流路８内には冷却水が循環する。
【００３１】
ステップＳ２にて、油温センサ５は潤滑油の温度を検出する。トルク制限値演算部１０２は、油温センサ５から潤滑油の温度を取得する。ステップＳ３にて、水温センサ９は、冷却水の温度を検出する。トルク制限値演算部１０２は、水温センサ９から冷却水の温度を取得する。
【００３２】
ステップＳ４にて、トルク制限値演算部１０２は、冷却水ポンプ７の駆動時間と第１所定時間とを比較する。冷却水ポンプ７の駆動時間は、冷却水ポンプ７の駆動開始時から現在までの経過時間である。第１所定時間は、水温センサ９の検出の遅れ時間に応じて、予め設定されている時間である。冷却水ポンプ７が駆動した後、冷却水の温度が急峻に変化した場合に、水温センサ９の検出値が実際の冷却水の温度になるまで時間を要する。第１所定時間は、冷却水ポンプ７が駆動した時から、水温センサ９の検出値が実際の冷却水の温度になるまでの時間を示していている。すなわち、第１所定時間は、冷却水の温度変化が急峻なため、水温センサ９が温度変化を追随できずに、水温センサ９の検出値と実際の冷却水の温度が乖離している状態を、時間で示している。なお、第１所定時間の長さを設定する際に、水温センサ９の検出値は実際の冷却水の温度と完全に一致するまでの時間を、第１所定時間として設定する必要はない。水温センサ９の検出値と実際の冷却水の温度との乖離が小さい状態になるまでの時間を、第１所定時間として設定されてもよい。
【００３３】
そして、冷却水ポンプ７の駆動時間が第１所定時間より短い場合には、トルク制限値演算部１０２は、冷却水の実際の温度が水温センサ９の検出値よりも高いと判定し、ステップＳ５に進む。すなわち、駆動時間が第１所定時間を経過するまでに、冷却水の温度が急峻に変化した場合には、水温センサ９は、冷却水の実際の温度を、即座に検出できない。そのため、トルク制限値演算部１０２は、駆動時間から、実際の温度が水温センサ９の検出値より高くなっているとみなしている。
【００３４】
ステップＳ５にて、トルク制限値演算部１０２は、第１マップを参照し、油温センサ５で検出された潤滑油の温度に対応する冷却水のピーク温度を演算する。冷却水のピーク温度は、潤滑油の現在の温度の状態で、冷却水が到達する最大の温度を示している。潤滑油の温度が高い場合には、変速機４の温度も高くなっている。そして、変速機４の熱は、モータ１に伝わり冷却水の温度が高くなる。すなわち、潤滑油の温度と冷却水の温度との間には相関性があり、潤滑油の温度が高いほど、冷却水ポンプ７の駆動後に、冷却水のピーク温度は高くなる。
【００３５】
トルク制限値演算部１０２は、潤滑油の温度と冷却水のピーク温度との相対関係を第１マップとして格納している。当該相対関係は、図３のグラフで表され、潤滑油の温度が高いほど冷却水のピーク温度は高くなるような関係である。
【００３６】
ステップＳ６にて、トルク制限値演算部１０２は、第２マップを参照しつつ、冷却水のピーク温度に対応するトルク制限値を演算する。トルク制限値演算部１０２は、冷却水の温度とトルク制限値との相対関係を第２マップとして格納している。当該相対関係は、図４のグラフで表される。冷却水温がＴ１より低い場合には、トルク制限値は一定値（Ａ１）になる。冷却水温がＴ１以上でＴ２以下である場合には、冷却水温が高くなるほど、トルク制限値は、Ａ１からＡ２の間で低くなる。冷却水温がＴ２より高い場合には、トルク制限値は一定値（Ａ２）なる。トルク制限値Ａ１はトルク制限値Ａ２よりも高い。なお、冷却水の温度とトルク制限値との相対関係は、図４に示す関係に限らず、他の特性で示される関係でもよい。
【００３７】
トルク制限値演算部１０２は、冷却水のピーク温度を第２マップで示される冷却水の温度に入力した上で、トルク制限値を演算する。トルク制限値演算部１０２はトルク制限値をトルク指令値演算部１０４に出力する。そして、ステップＳ１０に進む。
【００３８】
これにより、冷却水ポンプ７の駆動時間が第１所定時間より短いである場合には、トルク制限値演算部１０２は、油温センサ５により検出された潤滑油の温度、又は、水温センサ９により検出された冷却水の温度のうち、油温センサ５の検出値を選択する。そして、トルク制限値演算部１０２は、選択した検出値に基づいて、トルク制限値を演算している。
【００３９】
ステップＳ４にて、冷却水ポンプ７の駆動時間が第１所定時間以上である場合には、ステップＳ７に進む。ステップＳ７にて、トルク制限値演算部１０２は、駆動時間と第２所定時間とを比較する。第２所定時間は、冷却水の温度が設計水温以下になるまでの時間を示している。例えば車両の通常の走行状態で想定される冷却水の上限温度が、設計水温として設定されている。
【００４０】
駆動時間が第２所定時間より短い場合にはステップＳ８に進む。ステップＳ８にて、トルク制限値演算部１０２は、第２マップを参照しつつ、水温センサ９の検出値に対応するトルク制限値を演算する。トルク制限値演算部１０２は、水温センサ９の検出値を第２マップで示される冷却水の温度に入力した上で、トルク制限値を演算する。トルク制限値演算部１０２はトルク制限値をトルク指令値演算部１０４に出力する。
【００４１】
これにより、冷却水ポンプ７の駆動時間が第１所定時間以上である場合には、トルク制限値演算部１０２は、油温センサ５により検出された潤滑油の温度、又は、水温センサ９により検出された冷却水の温度のうち、水温センサ９の検出値を選択する。そして、トルク制限値演算部１０２は、選択した検出値に基づいて、トルク制限値を演算している。
【００４２】
ステップＳ７にて、冷却水ポンプ７の駆動時間が第２所定時間以上である場合には、ステップＳ９に進む。ステップＳ９にて、トルク制限値演算部１０２は、モータ１の出力トルクの最大値をトルク制限値に設定する。トルク制限値演算部１０２はトルク制限値をトルク指令値演算部１０４に出力する。これにより、冷却水の温度又は潤滑油の温度に基づくトルク制限は解除される。そして、ステップＳ１０に進む。
【００４３】
ステップＳ１０にて、要求トルク演算部１０３は、アクセル開度に基づいて、モータ１に要求するトルクを要求トルクとして演算する。要求トルク演算部１０３は要求トルクをトルク指令値演算部１０４に出力する。
【００４４】
ステップＳ１１にて、トルク指令値演算部１０４は、要求トルクとトルク制限値とを比較する。要求トルクがトルク制限値以上である場合には、ステップＳ１２にて、トルク指令値演算部１０４は、トルク制限値をトルク指令値として演算し、インバータ２にトルク指令値を出力する。これにより、要求トルクがトルク制限値に制限される。
【００４５】
一方、要求トルクがトルク制限値未満である場合には、ステップＳ１３にて、トルク指令値演算部１０４は、トルク制限をかけることなく、要求トルクをトルク指令値として演算し、インバータ２にトルク指令値を出力する。
【００４６】
ステップＳ１４にて、コントローラ１００は、メインスイッチがオフ状態であるか否かを判定する。メインスイッチがオン状態である場合には、ステップＳ２に進む。そして、メインスイッチのオン状態が継続する間は、ステップＳ２からステップＳ１４までの制御フローが繰り返し行われる。メインスイッチがオフ状態である場合には、制御フローを終了する。
【００４７】
なお、ステップＳ９の制御フローにおいて、トルク制限を解除する場合には、トルク指令値演算部１０４は、緩変化処理により、トルク解除を滑らかに行ってもよい。例えば、冷却水ポンプ７の駆動時間が第２所定時間以上である場合には、ステップＳ９に進み、トルク制限が解除される。このときに、トルク制限値演算部１０２は、前回の制御フローによりステップＳ８で設定したトルク制限値を、出力トルクの最大値に変更せずに、以下の処理を行う。まず、トルク制限値演算部１０２は、冷却水の検出値に対して緩変化処理を施すことで、冷却水の温度を演算する。緩変化処理には、例えばなまし処理が用いられる。演算された冷却水の温度は、時間の経過に対して、滑らかに推移する。そして、トルク制限値演算部１０２は、演算した冷却水の温度を第２マップに入力して、トルク制限値を演算する。
【００４８】
すなわち、冷却水の温度に応じたトルク制限を解除する際には、冷却水の温度に対して緩変化処理を施し、かつ、緩変化処理を施した後の温度に基づいてトルク制限を行う。そして、当該トルク制限を行った後に、トルク制限を解除する。これにより、冷却水ポンプ７の駆動時間が第２所定時間に達した時点で、トルク制限がすぐに解除されないため、トルク指令値の急変を抑制できる。その結果として、運転性の悪化を回避できる。
【００４９】
一方、冷却水ポンプ７の駆動時間が第２所定時間より短い場合には、冷却水の温度に応じたトルク制限が行われる。トルク制限を行う際には、トルク制限値演算部１０２は冷却水の温度に対して緩変化処理を施さない。これにより、トルク制限を行う際には、即座にトルクを制限することができるため、モータ１又はインバータ２を熱から保護できる。
【００５０】
次に、冷却水の温度推移及び水温センサ９の検出値の推移を、図５に示しつつ、コントローラ１００の制御について説明する。温度推移は、冷却水ポンプ７の駆動を開始した後の推移である。図５の横軸は、冷却水ポンプ７の駆動時間を示し、縦軸は冷却水の温度（冷却水温）を示す。点線のグラフは水温センサ９の検出値（水温センサ温度）を示し、実線のグラフは冷却水の実際の温度を示す。また、時間ｔ１は第１所定時間を示し、時間ｔ２は第２所定時間を示す。
【００５１】
冷却水ポンプ７の駆動が開始し、駆動時間が時間ｔａになると、変速機４の熱により加熱された冷却水がモータ１及びインバータ２に流れる。そのため、冷却流路８を循環する冷却水の温度が上昇する。水温センサ９は、冷却水の急峻な温度変化を追随できない。駆動時間が第１所定時間ｔ１に達するまでは、冷却水の実際の温度と水温センサ９の検出値との乖離は大きくなる。
【００５２】
本実施形態と異なり、駆動時間が第１所定時間ｔ１よりも短い状態で、水温センサ９の検出値に応じてトルク制限を行った場合には、当該検出値が低いため、図４に示すようにトルク制限値が高い値に設定される。その結果として、適切なトルク制限がかからない状態となる。一方、本実施形態では、トルク制限値演算部１０２は、トルク制限値を演算する際、油温センサ５の検出値を選択し、油温センサ５の検出値に基づいてトルク制限値を演算する。これにより、トルク制限値が低い値に設定されて、適切なトルク制限を実行できる。
【００５３】
駆動時間が第１所定時間ｔ１を経過すると、冷却水の温度変化が緩やかになり、水温センサ９の検出値は実際の温度に追随するようになる。トルク制限値演算部１０２は、トルク制限値を演算する際、水温センサ９の検出値を選択し、水温センサ９の検出値に基づいてトルク制限値を演算する。これにより、冷却水の温度が安定した後は、実際の冷却水の温度に応じてトルク制限を実行できる。
【００５４】
駆動時間が第２所定時間ｔ２を経過すると、冷却水の温度は設計温度よりも低くなるため、冷却水の温度に応じたトルク制限が解除される。
【００５５】
本実施形態において、コントローラ１００は、油温センサ５により検出された潤滑油の温度、又は、水温センサ９により検出された冷却水の温度のいずれか一方の温度を選択し、選択した温度に基づいてトルクに制限をかける。これにより、例えば、水温センサ９の検出値に基づくトルク制限では、適切なトルク制限をかけられない状態であっても、油温センサ５の検出値を用いてトルク制限をかけることができる。その結果として、適切なトルク制限を実行できる。
【００５６】
また本実施形態において、コントローラ１００は、冷却水の実際の温度が冷却センサ９の検出値よりも高い状態であると判定した場合には、油温センサ５の検出値を選択しつ、選択された検出値に基づいて、トルクに制限をかける。これにより、例えば、冷却水の温度が短時間で上昇し、冷却水の実際の温度が冷却センサ９の検出値よりも高い状態において、適切なトルク制限を実行することができる。
【００５７】
なお、本実施形態において、モータ１又はパワー素子３を冷却する冷媒として、水を用いたが、冷媒は水以外の他の冷媒でもよい。
【００５８】
上記のコントローラが本発明の「制御手段」に相当する。冷却水ポンプ７、冷却流路８、及びリザーバタンク１０が本発明の「冷却手段」に相当する。水温センサ９が本発明の「冷媒センサ」に相当する。
【符号の説明】
【００５９】
１…モータ
２…インバータ
３…パワー素子
４…変速機
５…油温センサ
７…冷却水ポンプ
８…冷却流路
９…水温センサ
１０…リザーバタンク
１００…コントローラ
【図１】
2016013063.tif 000003
【図２】
2016013063.tif 000004
【図３】
2016013063.tif 000005
【図４】
2016013063.tif 000006
【図５】
2016013063.tif 000007
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
モータと、
前記モータに近接し又は前記モータの近傍に配置された変速機と、
前記変速機の潤滑油の温度を検出する油温センサと、
冷媒により前記モータを冷却する冷却手段と、
前記冷媒の温度を検出する冷媒センサと、
前記モータのトルクを制御する制御手段とを備え、
前記制御手段は、
前記冷却手段を駆動した時点からの経過時間が所定時間より短い場合には、前記油温センサにより検出された潤滑油温度を検出温度として選択し、
前記検出温度に基づいて前記トルクに制限をかける
ことを特徴とするモータ制御装置。
【請求項４】
請求項３に記載のモータ制御装置において、
前記制御手段は、
前記冷却手段を駆動した時点からの経過時間が前記所定時間より長い場合には、前記冷媒温度を前記検出温度として選択する
ことを特徴とするモータ制御装置。
【請求項５】
請求項３又は４に記載のモータ制御装置において、
前記制御手段は、
前記冷媒温度に基づいて前記トルクに制限をかける場合には、前記冷媒温度に所定の緩変化処理を施すことなくトルク制限を行い、
前記トルク制限を解除する場合には、前記冷媒温度に前記緩変化処理を施し、かつ、前記緩変化処理を施した後の前記冷媒温度に基づいて前記トルク制限を行った後に、前記トルク制限を解除する
ことを特徴とするモータ制御装置。
【請求項６】
モータのトルクを制御する制御方法において、
前記モータに近接し又は前記モータの近傍に配置された変速機の潤滑油を、油温センサにより検出し、
冷却手段を駆動させて冷媒により前記モータを冷却し、
前記冷媒の温度を冷媒センサにより検出し、
前記冷却手段を駆動した時点からの経過時間が所定時間より短い場合には、前記油温センサにより検出された潤滑油温度を検出温度として選択し、
前記検出温度に基づいて前記トルクに制限をかける
ことを特徴とするモータ制御方法。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
モータと、
前記モータに近接し又は前記モータの近傍に配置された変速機と、
前記変速機の潤滑油の温度を検出する油温センサと、
冷媒により前記モータを冷却する冷却手段と、
前記モータのトルクを制御する制御手段とを備え、
前記制御手段は、
前記冷却手段を駆動した時点からの経過時間が所定時間より短い場合には、前記油温センサにより検出された潤滑油温度を検出温度として選択し、
前記検出温度に基づいて前記トルクに制限をかける
ことを特徴とするモータ制御装置。
【請求項２】
請求項１に記載のモータ制御装置において、
前記冷媒の温度を検出する冷媒センサを備え、
前記制御手段は、
前記冷却手段を駆動した時点からの経過時間が前記所定時間より長い場合には、前記冷媒センサにより検出された冷媒温度を前記検出温度として選択する
ことを特徴とするモータ制御装置。
【請求項３】
請求項１又は２に記載のモータ制御装置において、
前記冷媒の温度を検出する冷媒センサを備え、
前記制御手段は、
前記冷媒センサにより検出された冷媒温度に基づいて前記トルクに制限をかける場合には、前記冷媒温度に所定の緩変化処理を施すことなくトルク制限を行い、
前記トルク制限を解除する場合には、前記冷媒温度に前記緩変化処理を施し、かつ、前記緩変化処理を施した後の前記冷媒温度に基づいて前記トルク制限を行った後に、前記トルク制限を解除する
ことを特徴とするモータ制御装置。
【請求項４】
モータのトルクを制御する制御方法において、
前記モータに近接し又は前記モータの近傍に配置された変速機の潤滑油を、油温センサにより検出し、
冷却手段を駆動させて冷媒により前記モータを冷却し、
前記冷却手段を駆動した時点からの経過時間が所定時間より短い場合には、前記油温センサにより検出された潤滑油温度を検出温度として選択し、
前記検出温度に基づいて前記トルクに制限をかける
ことを特徴とするモータ制御方法。
【手続補正２】
【補正対象書類名】明細書
【補正対象項目名】０００８
【補正方法】変更
【補正の内容】
【０００８】
本発明は、冷却手段を駆動した時点からの経過時間が所定時間より短い場合には、油温センサにより検出された検出温度に基づいてトルクに制限をかけることによって上記課題を解決する。
【手続補正３】
【補正対象書類名】明細書
【補正対象項目名】０００９
【補正方法】変更
【補正の内容】
【０００９】
本発明は、トルクに制限をかけるときに使用される温度として、潤滑油の温度を選択可能にしている。そのため、冷媒センサの検出値では適切なトルク制限をかけられない状態であっても、トルク制限をかける際に油温センサの検出値を用いることができる。その結果として、適切なトルク制限を実行できる。
【国際調査報告】
2016013063.tif 000008
2016013063.tif 000009
2016013063.tif 000010
2016013063.tif 000011